(57)【要約】      （修正有）【課題】簡易な構成及び操作により移動棚をロックすることができる移動棚のロック装置を提供する。【解決手段】移動棚１のロック装置は、上方を移動棚が通過するとともに、作業者が乗る踏板３２と、踏板の裏面に、床面から上方へ向かう第１方向に付勢力を与える付勢部３２１と、を備え、作業空間における踏板の上面に付勢力に抗する第２方向の力が与えられている第１状態の間は、踏板の側部が移動棚に当接可能であることによって、移動棚の作業空間への移動が抑制される一方、作業空間における踏板の上面に第２方向の力が与えられていない第２状態の間は、移動棚の作業空間への移動が可能である。【選択図】図６
2018196478.tif 000002
【特許請求の範囲】
【請求項１】
レール上を走行する車輪を有する移動棚のロック装置であって、
上方を前記移動棚が通過するとともに、作業者が乗る踏板と、
前記踏板の裏面に、床面から上方へ向かう第１方向に付勢力を与える付勢部と、
を備え、
作業空間における前記踏板の上面に前記付勢力に抗する第２方向の力が与えられている第１状態の間は、当該踏板の側部が前記移動棚に当接可能であることによって、前記移動棚の前記作業空間への移動が抑制される一方、
作業空間における前記踏板の上面に前記第２方向の力が与えられていない第２状態の間は、前記移動棚の前記作業空間への移動が可能である、
ことを特徴とする移動棚のロック装置。
【請求項２】
前記第１状態は、前記作業者が作業空間における前記踏板に乗っている状態であり、前記第２状態は、前記作業者が作業空間における前記踏板に乗っていない状態である、
ことを特徴とする請求項１に記載の移動棚のロック装置。
【請求項３】
作業空間における前記踏板の上面に前記第２方向の力が与えられた場合、当該踏板が前記第２方向に移動することによって、当該踏板の側部が前記移動棚の側部に当接可能になる、
ことを特徴とする請求項１又は２に記載の移動棚のロック装置。
【請求項４】
前記第１状態の間は、前記床面から前記踏板の上面までの高さと、前記床面から前記レールの上面までの高さとが略一致する、
ことを特徴とする請求項１から３の何れか１項に記載の移動棚のロック装置。
【請求項５】
前記付勢力は、前記踏板における前記作業者が出入りする前側、及び、その反対側である後側のうちの一方側の裏面に与えられ、
前記踏板の前側及び後側のうちの他方側の端部は、前記踏板が前記第１方向及び前記第２方向に回転可能に固定されている、
ことを特徴とする請求項１から４の何れか１項に記載の移動棚のロック装置。
【請求項６】
前記ロック装置は、前記車輪が設けられた台車に設置されたストッパを、さらに備え、
前記ストッパは、前記台車の底面から前記床面に向かって延在する第１部分と、前記第１部分から、前記移動棚の移動方向に交わる方向に延在する第２部分と、を備え、
前記第１状態の間は、前記床面から前記踏板までの高さと、前記床面から前記第２部分までの高さとが略等しく、前記踏板の側部が前記第２部分に当接可能である一方、
前記第２状態の間は、前記床面から前記踏板の下面までの高さが、前記床面から前記第２部分までの高さより高く、前記移動棚の移動に伴って、前記第２部分が前記床面と前記踏板との間を移動可能である、
ことを特徴とする請求項１から５の何れか１項に記載の移動棚のロック装置。
【請求項７】
前記第２部分が前記床面と前記踏板との間に存在するときに前記踏板の上面に前記第２方向の力が与えられた場合は、前記踏板が前記第２方向に移動して前記踏板の裏面が前記第２部分の上面に当接することによって、前記移動棚の前記作業空間への移動を抑制する、
ことを特徴とする請求項６に記載の移動棚のロック装置。
【請求項８】
前記ストッパは、前記移動棚が前記レール上に設置された状態で、前記台車に取り外し可能に設置され、
前記踏板は、前記移動棚が前記レール上に設置された状態で、前記レールに近接して設置される、
ことを特徴とする請求項６に記載の移動棚のロック装置。
【請求項９】
レール上を走行する車輪を有する移動棚のロック装置であって、
上方を前記移動棚が通過するとともに、作業者が乗る踏板と、
を備え、
前記踏板は、作業者が出入りする前部と、前記前部の反対側の後部と、前記前部及び前記後部の間に設けられた回転軸部と、を備え、
作業者が作業空間における前記踏板の前記前部に乗った場合は、前記前部が、前記回転軸部を支点にして床面方向に回転して前記レールの上面より下方に没するとともに、当該踏板の前記後部が、前記回転軸部を支点にして前記床面方向とは反対の上方向に回転して前記レールの上面より上方に突出することにより、前記後部の側部が前記移動棚に当接可能になることによって、前記移動棚の前記作業空間への移動が抑制される一方、
作業者が作業空間における前記踏板の前記前部から降りた場合は、前記前部が、前記回転軸部を支点にして前記上方向に回転して前記レールの上面と同じ高さになるとともに、当該踏板の前記後部が、前記回転軸部を支点にして前記床面方向に回転して前記レールの上面と同じ高さになることにより、前記移動棚の前記作業空間への移動が可能になる、
ことを特徴とする移動棚のロック装置。
【請求項１０】
レール上を走行する車輪を有する移動棚のロック装置であって、
上方を前記移動棚が通過するとともに、作業者が乗る踏板を備え、
作業者が作業空間における前記踏板に乗った場合は、当該踏板の側部が前記移動棚に当接可能になることによって、前記移動棚の前記作業空間への移動が抑制される一方、
作業者が作業空間における前記踏板から降りた場合は、当該踏板が前記移動棚に当接しなくなることによって、前記移動棚の前記作業空間への移動が可能になる、
ことを特徴とする移動棚のロック装置。
【発明の詳細な説明】
【技術分野】
【０００１】
本発明は、移動棚のロック装置に関する。
【背景技術】
【０００２】
従来より、オフィス等において、限られた空間を有効活用し、書類等の物品を効率よく収納する移動棚が提供されている。上記移動棚は、例えば横方向に並んで設置された複数の固定棚の前に設置される。作業者は、後列の固定棚を使用する場合には、前列の移動棚を横方向に移動させ、これにより形成された作業空間に入って作業を行う。ここで、作業者が作業空間において作業中に、他の作業者が移動棚を移動させたり、地震等により移動棚が移動したりすると、上記作業空間が狭まり、作業者が移動棚に接触するおそれがある。
【０００３】
そこで、従来、上記移動棚の移動を抑制（ロック）する技術が提案されている。例えば、特許文献１には、移動棚の移動を規制する移動棚規制装置が開示されている。上記移動棚規制装置は、一対のガイドレールの間に配置されたベース部に設けられている。例えば、作業者が作業空間において移動棚規制装置を構成するペダル部の一端部を踏み込むと、上記ペダル部の他端部が上記ベース部の上面から上方に突出して上記移動棚の側面に当接可能になる。上記構成によれば、作業者は、作業空間に入って作業を行う際に、上記移動棚規制装置を操作することにより、上記移動棚の移動を規制することが可能になる。
【先行技術文献】
【特許文献】
【０００４】
【特許文献１】特開２０１３−７８４２７号公報
【発明の概要】
【発明が解決しようとする課題】
【０００５】
しかしながら、上記特許文献１の技術では、上記移動棚規制装置を、上記ベース部の内部に組み込まなければならないため、移動棚全体の構成が複雑化してしまう。また、作業者は、上記移動棚をロックするために、作業空間に入った後に上記ペダル部を踏み込まなければならないため、面倒な操作を強いられることになる。さらに、作業者が、上記移動棚をロックする操作を忘れて作業を行ったり、当該操作を意識的に省いて作業を行うことも考えられ、安全性を確保することが難しい。
【０００６】
本発明は、上記実情に鑑みてなされたものであり、その目的は、簡易な構成及び操作により移動棚をロックすることができるロック装置を提供することにある。
【課題を解決するための手段】
【０００７】
上記課題を解決するために、本発明に係る移動棚のロック装置は、レール上を走行する車輪を有する移動棚のロック装置であって、上方を前記移動棚が通過するとともに、作業者が乗る踏板と、前記踏板の裏面に、床面から上方へ向かう第１方向に付勢力を与える付勢部と、を備え、作業空間における前記踏板の上面に前記付勢力に抗する第２方向の力が与えられている第１状態の間は、当該踏板の側部が前記移動棚に当接可能であることによって、前記移動棚の前記作業空間への移動が抑制される一方、作業空間における前記踏板の上面に前記第２方向の力が与えられていない第２状態の間は、前記移動棚の前記作業空間への移動が可能である、ことを特徴とする。
【０００８】
上記構成によれば、例えば作業者が作業空間に入って踏板に乗ることにより、踏板の側面が移動棚に当接可能になるため移動棚をロックすることができ、作業者が踏板から降りて作業空間から退出することにより、移動棚のロックが解除され、移動棚が踏板の上方を移動可能になる。よって、上記ロック装置によれば、簡易な構成及び操作により移動棚をロックすることができる。
【０００９】
ここで本発明に係る移動棚のロック装置では、前記第１状態は、前記作業者が作業空間における前記踏板に乗っている状態であり、前記第２状態は、前記作業者が作業空間における前記踏板に乗っていない状態とすることができる。
【００１０】
また本発明に係る移動棚のロック装置では、作業空間における前記踏板の上面に前記第２方向の力が与えられた場合、当該踏板が前記第２方向に移動することによって、当該踏板の側部が前記移動棚の側部に当接可能になる構成とすることができる。
【００１１】
また本発明に係る移動棚のロック装置では、前記第１状態の間は、前記床面から前記踏板の上面までの高さと、前記床面から前記レールの上面までの高さとが略一致する構成としてもよい。
【００１２】
また本発明に係る移動棚のロック装置では、前記付勢力は、前記踏板における前記作業者が出入りする前側、及び、その反対側である後側のうちの一方側の裏面に与えられ、前記踏板の前側及び後側のうちの他方側の端部は、前記踏板が前記第１方向及び前記第２方向に回転可能に固定されてもよい。
【００１３】
また本発明に係る移動棚のロック装置では、前記ロック装置は、前記車輪が設けられた台車に設置されたストッパを、さらに備え、前記ストッパは、前記台車の底面から前記床面に向かって延在する第１部分と、前記第１部分から、前記移動棚の移動方向に交わる方向に延在する第２部分と、を備え、前記第１状態の間は、前記床面から前記踏板までの高さと、前記床面から前記第２部分までの高さとが略等しく、前記踏板の側部が前記第２部分に当接可能である一方、前記第２状態の間は、前記床面から前記踏板の下面までの高さが、前記床面から前記第２部分までの高さより高く、前記移動棚の移動に伴って、前記第２部分が前記床面と前記踏板との間を移動可能である構成としてもよい。
【００１４】
また本発明に係る移動棚のロック装置では、前記第２部分が前記床面と前記踏板との間に存在するときに前記踏板の上面に前記第２方向の力が与えられた場合は、前記踏板が前記第２方向に移動して前記踏板の裏面が前記第２部分の上面に当接することによって、前記移動棚の前記作業空間への移動を抑制する構成としてもよい。
【００１５】
また本発明に係る移動棚のロック装置では、前記ストッパは、前記移動棚が前記レール上に設置された状態で、前記台車に取り外し可能に設置され、前記踏板は、前記移動棚が前記レール上に設置された状態で、前記レールに近接して設置されてもよい。
【００１６】
また上記課題を解決するために、本発明に係る移動棚のロック装置は、レール上を走行する車輪を有する移動棚のロック装置であって、上方を前記移動棚が通過するとともに、作業者が乗る踏板と、を備え、前記踏板は、作業者が出入りする前部と、前記前部の反対側の後部と、前記前部及び前記後部の間に設けられた回転軸部と、を備え、作業者が作業空間における前記踏板の前記前部に乗った場合は、前記前部が、前記回転軸部を支点にして床面方向に回転して前記レールの上面より下方に没するとともに、当該踏板の前記後部が、前記回転軸部を支点にして前記床面方向とは反対の上方向に回転して前記レールの上面より上方に突出することにより、前記後部の側部が前記移動棚に当接可能になることによって、前記移動棚の前記作業空間への移動が抑制される一方、作業者が作業空間における前記踏板の前記前部から降りた場合は、前記前部が、前記回転軸部を支点にして前記上方向に回転して前記レールの上面と同じ高さになるとともに、当該踏板の前記後部が、前記回転軸部を支点にして前記床面方向に回転して前記レールの上面と同じ高さになることにより、前記移動棚の前記作業空間への移動が可能になる、ことを特徴とする。
【００１７】
また上記課題を解決するために、本発明に係る移動棚のロック装置は、レール上を走行する車輪を有する移動棚のロック装置であって、上方を前記移動棚が通過するとともに、作業者が乗る踏板を備え、作業者が作業空間における前記踏板に乗った場合は、当該踏板の側部が前記移動棚に当接可能になることによって、前記移動棚の前記作業空間への移動が抑制される一方、作業者が作業空間における前記踏板から降りた場合は、当該踏板が前記移動棚に当接しなくなることによって、前記移動棚の前記作業空間への移動が可能になる、ことを特徴とする。
【発明の効果】
【００１８】
本発明に係る移動棚のロック装置によれば、簡易な構成及び操作により移動棚をロックすることができる。
【図面の簡単な説明】
【００１９】
【図１】本実施形態に係る移動棚システムの概略構成を示す斜視図である。
【図２】上記移動棚システムにおける固定ベースの概略構成を示す斜視図である。
【図３】本実施形態に係るロック装置における踏板の具体的な構成を示す図であり、（ａ）は踏板の平面図であり、（ｂ）は（ａ）のＡ矢視図である。
【図４】図２のＢ矢視図であり、（ａ）は作業者が踏板に乗っていない状態（第２状態）を示し、（ｂ）は作業者が踏板に乗っている状態（第１状態）を示している。
【図５】本実施形態に係る移動棚における台車の具体的な構成を示す図であり、（ａ）は台車の平面図であり、（ｂ）は（ａ）のＣ矢視図であり、（ｃ）は（ａ）のＤ矢視図である。
【図６】上記移動棚システムにおいて、作業者が踏板に乗っていないとき（第２状態）の様子を示す側面図である。
【図７】図６の部分拡大図である。
【図８】上記移動棚システムにおいて、移動棚が移動している途中の様子を示す図である。
【図９】上記移動棚システムにおいて、作業者が踏板に乗っているとき（第１状態）の様子を示す側面図である。
【図１０】図９の部分拡大図である。
【図１１】上記移動棚システムにおいて、作業者が踏板に乗る前の様子を示す斜視図である。
【図１２】上記移動棚システムにおいて、作業者が踏板に乗っているとき（第１状態）の他の様子を示す側面図である。
【図１３】図１２の部分拡大図である。
【図１４】上記ロック装置におけるストッパの他の構成を示す斜視図である。
【図１５】上記移動棚システムにおいて、作業者が踏板に乗っていないとき（第２状態）の変形例に係るロック装置の様子を示す側面図である。
【図１６】上記移動棚システムにおいて、作業者が踏板に乗っているとき（第１状態）の変形例に係るロック装置の様子を示す側面図である。
【発明を実施するための形態】
【００２０】
本発明の一実施形態について、図面を用いて以下に説明する。図１は、本実施形態に係る移動棚システムの概略構成を示す斜視図である。移動棚システムは、横方向（間口方向）に移動可能に設置された複数の移動棚１と、複数の移動棚１の後方に固定して設置された複数の固定棚２と、床面に設置された固定ベース３と、を備えている。また、移動棚システムは、移動棚１の移動を規制するロック装置を備えている。尚、移動棚１と固定棚２の数は限定されないが、移動棚１の数は固定棚２の数より少なくなっている。
【００２１】
固定ベース３は、移動棚１の下に配置された前後一対のレール３１Ａ、３１Ｂと、レール３１Ａ、３１Ｂの間に設置された複数の踏板３２と、を備えている。固定ベース３は、床面に固定されている。一対のレール３１Ａ、３１Ｂは、図１に示す横方向に沿って、互いに平行に配置されており、複数の踏板３２は、横方向に並べられている。また踏板３２は、作業者が後列の固定棚２を使用する際に乗る部分であり、固定棚２の前方の作業空間における作業床となる。踏板３２は、固定棚２と同じ数だけ分割して設置されており、図１に示す例では３枚設置されている。
【００２２】
移動棚１は、レール３１Ａ、３１Ｂ上に移動可能に載置された台車１１と、台車１１上に載置されて固定された移動棚本体１２（収納庫）と、を備えている。台車１１は、レール３１Ａ、３１Ｂ上を走行する４個の車輪１１１（図５参照）を備えている。移動棚１は、作業者の手動操作により横方向（図１参照）に移動可能に構成されている。移動棚１は、踏板３２の上方を横方向に移動する。
【００２３】
固定棚２は、固定ベース３の後側に載置されて固定された後部ベース２１と、後部ベース２１上に載置されて固定された固定棚本体２２（収納庫）と、を備えている。
【００２４】
図１に示す移動棚本体１２及び固定棚本体２２は、扉付きキャビネットを示しているが、収納庫の種類は限定されない。尚、図１に示す移動棚システムは、移動棚１が移動棚本体１２の幅（間口）方向に移動する横スライド方式を示している。
【００２５】
図２は、固定ベース３の概略構成を示す斜視図である。固定ベース３は、前後方向に一体に形成されており、固定棚２と同じ数だけ（ここでは３個）設置されている。踏板３２は、固定ベース３の前側において、上方向（第１方向）及び下方向（第２方向）に移動可能に設置されている。尚、図２には、１個の固定棚２が載置される１個の後部ベース２１を示している。
【００２６】
図３は、踏板３２の具体的な構成を示す図である。図３（ａ）は踏板３２の平面図であり、図３（ｂ）は図３（ａ）のＡ矢視図（側面図）である。踏板３２は、踏板本体３２０と、踏板本体３２０の前側の裏面に設けられたバネ３２１（付勢部）（例えば圧縮コイルバネ）と、踏板本体３２０の前側の裏面に設けられた規制部３２２と、踏板本体３２０の後端部の側面に設けられた回転軸部３２３と、を備えている。バネ３２１は、踏板本体３２０の奥行方向の前側かつ幅方向の中央付近に１個設けられ、規制部３２２は、バネ３２１より前側かつ幅方向の両端部付近に１個ずつ設けられ、回転軸部３２３は、踏板本体３２０の奥行方向の後端部かつ幅方向の両端部付近に１個ずつ設けられている。図３（ｂ）に示すように、規制部３２２は、踏板本体３２０の裏面から第２方向に延在する規制部側板３２２Ａと、規制部側板３２２Ａから前方に延在する規制部底板３２２Ｂと、を備えている。図２に示すように、踏板３２は、一対のレール３１Ａ、３１Ｂが設置された後に、レール３１Ａ、３１Ｂの間に取り付けられる。バネ３２１の一端（上端）は、踏板本体３２０の前側の裏面にネジ止め固定され（図３（ｂ）参照）、バネ３２１の他端（下端）は、固定ベース３の中間フレーム３３上に当接される（図２参照）。
【００２７】
図４は、図２のＢ矢視図（側面図）であり、図４（ａ）は作業者が踏板３２に乗っていない状態（第２状態）を示し、図４（ｂ）は作業者が踏板３２に乗っている状態（第１状態）を示している。
【００２８】
図４に示すように、固定ベース３は、さらに、レール３１Ａを受容して固定するレールカバー３１Ｄと、レール３１Ｂを受容して固定するレールカバー３１Ｃと、を備えている。レールカバー３１Ｃは、踏板３２の回転軸部３２３が挿入される開口部３１１Ｃを備えている。レールカバー３１Ｄは、レール３１Ａが載置される底板３１１Ｄと、底板３１１Ｄから上方（第１方向）に立ち上がる側板３１２Ｄと、を備えている。
【００２９】
図４（ａ）に示すように、踏板３２は、回転軸部３２３がレールカバー３１Ｃの開口部３１１Ｃに挿入されるとともに、規制部３２２の規制部底板３２２Ｂがレールカバー３１Ｄの底板３１１Ｄの下に挿入されるように、固定ベース３に設置される。図４（ａ）に示す状態では、バネ３２１は、常に、踏板３２（踏板本体３２０）の裏面に、床面から上方へ向かう第１方向に付勢力（図中の矢印）を与えている。これにより、規制部３２２の規制部底板３２２Ｂが、底板３１１Ｄの裏面に当接している。また、図４（ａ）に示す状態では、踏板３２の前端部の上面が、踏板３２の後端部の上面、レール３１Ａ、３１Ｂの上面、及び固定ベース３の上面より高さＨ１だけ高くなっており、踏板３２とレールカバー３１Ｄの側板３１２Ｄとの間に間隙３２４が形成されている。
【００３０】
図４（ｂ）に示す状態では、作業者が踏板３２に乗ることにより、踏板３２（踏板本体３２０）の上面に上記付勢力に抗する第２方向の力が加わる。これにより、バネ３２１が縮んで、踏板３２が、回転軸部３２３を支点にして床面に向かう第２方向に回転（移動）する。踏板３２は、前端部の裏面（下面）がレールカバー３１Ｄの側板３１２Ｄの上面に当接することによって回転が停止する。図４（ｂ）に示す状態では、踏板３２の前端部の上面が、踏板３２の後端部の上面、レール３１Ａ、３１Ｂの上面、及び固定ベース３の上面と同じ高さになり、踏板３２とレールカバー３１Ｄの側板３１２Ｄとの間の間隙３２４（図４（ａ）参照）がなくなる。作業者が踏板３２から降りると、踏板３２は、バネ３２１による第１方向の付勢力（図４（ａ）の矢印）によって、再び図４（ａ）に示す状態になる。
【００３１】
このように、踏板３２は、作業者の乗り降りに応じて、間隙３２４に相当する距離だけ移動（回転）して、図４（ａ）の状態と図４（ｂ）の状態とを繰り返す。
【００３２】
図５は、台車１１の具体的な構成を示す図である。図５（ａ）は台車１１の平面図であり、図５（ｂ）は図５（ａ）のＣ矢視図（正面図）であり、図５（ｃ）は図５（ａ）のＤ矢視図（側面図）である。台車１１は、四隅に配置された４個の車輪１１１と、台車１１の移動方向（横方向）に延在するストッパ１１２と、奥行方向に延在する側板の端部に取り付けられた４個の緩衝ゴム１１３と、を備えている。図５（ｃ）に示すように、ストッパ１１２は、台車１１の底面から床面に向かって（第２方向に）延在する第１部分１１２Ａと、第１部分１１２Ａから、台車１１の移動方向に交わる方向（ここでは奥行方向）の後方に延在する第２部分１１２Ｂとを備え、台車１１を構成する部材に固定されている。またストッパ１１２は、台車１１がレール３１Ａ、３１Ｂ上に載置された状態のときに、第２部分１１２Ｂの先端部が、間隙３２４（図４（ａ）参照）の内部に挿入されるように、台車１１に固定される（図６参照）。台車１１の上面には移動棚本体１２が載置されて固定される。
【００３３】
図６は、作業者が踏板３２に乗っていないとき（第２状態）の移動棚システムの様子を示す側面図である。図６に示す固定ベース３は、図４（ａ）と同じ状態を示している。図７は、図６の部分拡大図である。尚、図６及び図７では、図１の右端の移動棚１（台車１１を含む）の右側面と、図１の中央の踏板３２（作業床）の右側面とを示している。
【００３４】
図６及び図７に示すように、作業者が踏板３２（作業床）に乗っていないときは、ストッパ１１２の第２部分１１２Ｂが、踏板３２に当接しない状態であるため、間隙３２４（図７参照）の内部を移動可能であり、移動棚１が横方向（図６及び図７の紙面に対して垂直方向）に移動可能になる。ストッパ１１２の第２部分１１２Ｂと、作業床の踏板３２の左右の踏板３２との位置関係も同様である。図８には、作業床の踏板３２の上方を移動棚１が移動している途中の様子を示している。図８に示すように、作業者が移動棚１に対して横方向に力を加えると、ストッパ１１２の第２部分１１２Ｂが間隙３２４内を移動しながら、移動棚１が横方向に移動する。尚、図６に示すように、移動棚１の前方への転倒を防止する転倒防止金具１１４が台車１１に設けられてもよい。
【００３５】
図９は、作業者が踏板３２に乗っているとき（第１状態）の移動棚システムの様子を示す側面図である。図９に示す固定ベース３は、図４（ｂ）と同じ状態を示している。図１０は、図９の部分拡大図である。尚、図９及び図１０では、図６及び図７と同様に、図１の右端の移動棚１（台車１１を含む）の右側面と、図１の中央の踏板３２（作業床）の右側面とを示している。
【００３６】
図９及び図１０に示すように、作業者が踏板３２（作業床）に乗ると、当該踏板３２は、間隙３２４（図４（ａ）参照）に相当する距離（Ｈ１）だけ第２方向に回転して、踏板３２の前端部の裏面がレールカバー３１Ｄの側板３１２Ｄの上面に当接して固定される。これにより、床面から踏板３２（作業床）の前端部の中心（上下方向）までの高さと、床面からストッパ１１２の第２部分１１２Ｂの中心（上下方向）までの高さとが略等しくなり、踏板３２（作業床）の前端部の側面が第２部分１１２Ｂの側面に当接可能になる。例えば、図１１に示す状態において、作業者が踏板３２に乗った後に移動棚１を左方向に移動させた場合、当該踏板３２の前端部の側面がストッパ１１２の第２部分１１２Ｂの側面に当接する。これにより、移動棚１の左方向（作業空間）への移動が抑制（ロック）される。尚、図１１では、説明の便宜上、移動棚１の直下の踏板３２は省略して図示している。
【００３７】
ここで、作業者が踏板３２に乗っていないときにストッパ１１２の第２部分１１２Ｂが間隙３２４の内部を移動可能になるための条件（移動棚１が移動可能になるための条件）は、例えば、踏板３２の上面に第２方向の力が加わっていないときに（作業者が踏板３２に乗っていないときに）、床面からストッパ１１２の第２部分１１２Ｂの中心までの高さが、床面からレールカバー３１Ｄの側板３１２Ｄの上面までの高さより高く、かつ、床面から踏板３２の前端部の裏面（下面）までの高さより低いことである（図４及び図７参照）。すなわち、ストッパ１１２の第２部分１１２Ｂが、間隙３２４内に収まっていればよい。一方、作業者が踏板３２に乗っているときに踏板３２の前端部の側面と第２部分１１２Ｂの側面とが当接可能になるための条件（移動棚１をロックするための条件）は、例えば、踏板３２の上面に第２方向の力が加わっているときに（作業者が踏板３２に乗っているときに）、床面からストッパ１１２の第２部分１１２Ｂの中心までの高さが、床面から踏板３２の前端部の裏面までの高さより高く、かつ、床面から踏板３２の前端部の上面までの高さより低いことである。すなわち、側面から見たときに（図１０参照）、ストッパ１１２の第２部分１１２Ｂの先端部が、踏板３２の前端部の側面に重畳していればよい。踏板３２及びストッパ１１２の形状及び外形寸法は、上記各条件を満たす範囲で適宜設定すればよい。尚、移動棚１がロックされる状態では、踏板３２の前端部とストッパ１１２の第２部分１１２Ｂとは、それぞれの側面同士が当接してもよいし、それぞれの側面の一部が部分的に当接してもよい。すなわち、踏板３２の前端部とストッパ１１２の第２部分１１２Ｂとは、それぞれの側部（側面及び側面の一部を含む）同士が当接すればよい。
【００３８】
本実施形態に係るロック装置は、踏板３２と、台車１１に設置されるストッパ１１２とにより構成されている。作業者が移動棚システムを使用するときの、移動棚１のロック装置の動作について以下に説明する。
【００３９】
先ず、作業者は、例えば後列の固定棚２（例えば図１に示す中央の固定棚２）に物品を収納する場合、当該固定棚２の前方に位置する移動棚１を横方向に移動させて作業空間（図１に示す前方の中央部分）を確保する。このとき、少なくとも踏板３２の幅（横方向の長さ）以上の間口を有する作業空間を確保することが好ましい。これにより、作業床となる中央の踏板３２全体が露出した状態となる（図１参照）。次に、作業者は、作業空間に進入して、作業床の踏板３２の上に乗る。すると、作業者の重量によって作業床の踏板３２が下方（第２方向）に移動（回転）し、レールカバー３１Ｄの側板３１２Ｄの上面に当接して（図４（ｂ）参照）、図９及び図１０に示す状態になる。これにより、踏板３２の前端部の側面がストッパ１１２の第２部分１１２Ｂの側面に当接可能になるため、作業者の左右に位置する移動棚１がロックされ、移動棚１の作業空間への移動が抑制（規制）される。作業者は、確保された作業空間で固定棚２に物品を収納する。次に、作業が終了すると、作業者は、踏板３２から降りて作業空間から退出する。すると、踏板３２がバネ３２１の付勢力により上方（第１方向）に移動（回転）し、規制部３２２が底板３１１Ｄの裏面に当接して（図４（ａ）参照）、図６及び図７に示す状態になる。これにより、作業者の左右に位置する移動棚１のロックが解除され、左右への移動が可能になる。
【００４０】
移動棚１のロック装置の動作は上記動作に限定されない。例えば、作業者が、踏板３２の幅（横方向の長さ）よりも小さい間口を有する作業空間で作業を行う場合が考えられる。この場合、図８に示すように、作業床となる１枚の踏板３２の一部が移動棚１で覆われ、ストッパ１１２の第２部分１１２Ｂが、当該踏板３２の間隙３２４（図４（ａ）参照）に入り込んだ状態となる。この状態で作業者が作業空間に進入して踏板３２（作業床）の上に乗ると、作業者の重量によって踏板３２が下方（第２方向）に移動（回転）し、踏板３２の前端部の裏面がストッパ１１２の第２部分１１２Ｂの上面に当接して、図１２に示す状態になる。図１３は、図１２の部分拡大図である。図１２及び図１３に示す状態では、ストッパ１１２の第２部分１１２Ｂの上面に、常に、作業者の重量に応じた力が加わる。これにより、踏板３２とストッパ１１２との接触面の摩擦力により、移動棚１の左右の移動が抑制される。作業が終了して作業者が踏板３２から降りると、踏板３２がバネ３２１の付勢力により上方（第１方向）に移動（回転）し、規制部３２２が底板３１１Ｄの裏面に当接して（図４（ａ）参照）、図６〜図８に示す状態（第２状態）になる。これにより、作業者の左右に位置する移動棚１のロックが解除され、左右への移動が可能になる。
【００４１】
本実施形態に係るロック装置の構成によれば、例えば作業者が作業空間に出入りするだけで、移動棚１をロック状態にしたり、ロック状態を解除したりすることができる。すなわち、上記構成によれば、作業者は、移動棚１をロック及び解除するための特別な操作を行う必要がなくなる。また移動棚１が存在する位置に関わらず、作業者が作業空間に入ることによって移動棚１をロックすることができる。例えば移動棚１が、図８に示すように踏板３２の幅より小さい作業空間が形成される途中位置に存在する場合であっても、移動棚１をロックすることができる。よって、本実施形態に係るロック装置によれば、簡易な構成及び操作により移動棚１をロックすることが可能になる。また、作業者が意識することなく移動棚１がロックされるため、従来の構成と比較して、作業空間における作業者の安全性を高めることができる。
【００４２】
本発明に係る移動棚システム及びロック装置は、上記構成に限定されず、以下に示す構成であってもよい。
【００４３】
例えば、本発明に係るロック装置は、既存の移動棚システムに取り付けることが可能な構成を有してもよい。例えば図３に示した踏板３２の構成によれば、図２に示す方法により、既存の踏板を図３に示す踏板３２に容易に交換することができる。また、図５に示したストッパ１１２を図１４に示す構成とすることにより、図１４に示すストッパ１１２を既存の移動棚に取り付けることが可能となる。図１４に示すストッパ１１２は、台車１１の側面に当接されるストッパ側板１１２Ｃと、緩衝ゴム１１３と共にネジ止めするためのネジ穴１１２Ｅと、ストッパ側板１１２Ｃから台車１１の底面方向に延在するストッパ底板１１２Ｄと、ストッパ底板１１２Ｄから床面に向かって（第２方向に）延在する第１部分１１２Ａと、第１部分１１２Ａから奥行方向の後方に延在する第２部分１１２Ｂとを備えている。図１４に示す第１部分１１２Ａ及び第２部分１１２Ｂは、図５に示す第１部分１１２Ａ及び第２部分１１２Ｂと同一の機能を有している。上記構成によれば、移動棚がレール上に設置された状態の既存の移動棚システムに上記ロック装置（踏板及びストッパ）を取り付けることにより、簡易な構成及び操作により既存の移動棚をロックすることが可能になる。
【００４４】
また上述したロック装置は、作業者が踏板３２に乗っていない状態（第２状態）のときに、踏板３２の前端部の上面が、踏板３２の後端部の上面、レール３１Ａ、３１Ｂの上面、及び固定ベース３の上面より高さＨ１だけ高くなる構成（図４（ａ）参照）であるが、本発明に係るロック装置はこれに限定されない。例えば、本発明に係るロック装置は、第２状態のときに、踏板３２の前端部の上面が、踏板３２の後端部の上面、レール３１Ａ、３１Ｂの上面、及び固定ベース３の上面と同じ高さになり、作業者が踏板３２に乗っている状態（第１状態）のときに、踏板３２の前端部の上面が、踏板３２の後端部の上面、レール３１Ａ、３１Ｂの上面、及び固定ベース３の上面より高さＨ１だけ低くなるように構成してもよい。さらに他の構成として、第２状態のときに、踏板３２の前端部の上面が、踏板３２の後端部の上面、レール３１Ａ、３１Ｂの上面、及び固定ベース３の上面より高さ（Ｈ１）／２だけ高くなり、第１状態のときに、踏板３２の前端部の上面が、踏板３２の後端部の上面、レール３１Ａ、３１Ｂの上面、及び固定ベース３の上面より高さ（Ｈ１）／２だけ低くなるように構成してもよい。尚、これらの構成を採用する場合は、規制部３２２の規制部側板３２２Ａの長さと、ストッパ１１２の第１部分１１２Ａの長さとを適宜調整すれば良い。
【００４５】
また上述したロック装置は、ストッパ１１２が台車１１の前方に設けられ、かつ、踏板３２が、後方を支点（回転軸）にして前方が第１方向及び第２方向に回転する構成（図６及び図９参照）であるが、本発明に係るロック装置はこれに限定されない。例えば、本発明に係るロック装置は、ストッパ１１２が台車１１の後方に設けられ、かつ、踏板３２が、前方を支点（回転軸）にして後方が第１方向及び第２方向に回転する構成であってもよい。また、本発明に係るロック装置は、回転軸部３２３が省略され、踏板３２が第１方向及び第２方向に床面と平行に移動する構成であってもよい。この場合、バネ３２１は、踏板３２の中心（幅方向及び奥行方向）に１個設けられてもよいし、奥行方向の前後に複数個設けられてもよい。
【００４６】
また上述したロック装置では、踏板３２が固定棚２と同じ数だけ設置されているが、踏板３２の数はこれに限定されず、例えば１枚であってもよい。具体的には、レール３１Ａ、３１Ｂの間に、レール３１Ａ、３１Ｂと同じ長さを有する１枚の踏板３２が設置されてもよい。この場合、移動棚１の位置に関わらず、作業者が作業空間に進入して踏板３２の所望の場所に乗ると、ロック装置が図１２及び図１３に示す状態になって移動棚１がロックされる。この構成では、踏板３２の全体が第２方向（下方）に移動するため、全ての移動棚１を同時にロックすることができる。
【００４７】
また上述したロック装置の動作では、作業者が踏板３２に乗ったときに移動棚１がロックする例を示したが、移動棚１をロックする方法はこれに限定されず、例えば踏板３２の上に荷物等を載せることにより移動棚１をロックしてもよい。これにより、作業者がいないときに常に移動棚１をロックすることもできる。
【００４８】
また上述した移動棚システムは、前後２列のうち前列に移動棚１が設置され、後列に固定棚２が設置されているが、本発明の移動棚システムはこれに限定されない。例えば、移動棚システムは、前列、中列及び後列の３列で構成されており、前列及び中列に移動棚１が設置され、後列に固定棚２が設置されてもよい。この場合、本発明のロック装置は、中列及び前列の移動棚１に設置される。
【００４９】
また上述した移動棚システムでは、固定ベース３にレールが２本設けられているが、本発明の移動棚システムはこれに限定されない。例えば、本発明に係る移動棚システムでは、固定ベース３に、台車１１に設置された２個の車輪が走行する１本のレールが設置され、かつ、移動棚１の上部にローラーが設置され、固定棚２の上部に当該ローラーをガイドするガイドレールが設置されてもよい。
【００５０】
また上述した移動棚システムは、横スライド方式であるが、本発明の移動棚システムはこれに限定されない。例えば、移動棚システムは、移動棚１が移動棚本体１２の奥行方向に移動する縦スライド方式であってもよい。
【００５１】
また上記移動棚システムにおいて、固定棚本体２２は、移動棚１の後方において、直接床面に設置されてもよい。また、固定棚２が設置されておらず、壁面に沿って移動棚１が設置されてもよい。
【００５２】
また本発明に係るロック装置は、図１５及び図１６に示す構成（変形例）であってもよい。図１５は、作業者が踏板３２に乗っていないとき（第２状態）の変形例に係るロック装置の様子を示す側面図であり、図１６は、作業者が踏板３２に乗っているとき（第１状態）の変形例に係るロック装置の様子を示す側面図である。変形例に係るロック装置の踏板３２は、踏板本体３２０の前部の裏面に設けられた第１バネ３２１Ａと、踏板本体３２０の後部の裏面に設けられた第２バネ３２１Ｂと、第１バネ３２１Ａ及び第２バネ３２１Ｂの間（例えば踏板３２の側面の中心）に設けられた回転軸部３２５と、を備えている。また変形例に係るロック装置のストッパは、台車１１の前部に設けられた第１ストッパ１１２と、台車１１の後部に設けられた第２ストッパ１１５と、を備えている。第１ストッパ１１２及び第２ストッパ１１５は、それぞれ、第１部分１１２Ａ、１１５Ａと、第２部分１１２Ｂ、１１５Ｂとを備えている。
【００５３】
第１バネ３２１Ａは、常に、踏板３２（踏板本体３２０）の前部の裏面に付勢力（図中の矢印）を与え、第２バネ３２１Ｂは、常に、踏板３２（踏板本体３２０）の後部の裏面に付勢力（図中の矢印）を与えている。回転軸部３２５は、踏板３２が第１方向及び第２方向に回転可能に固定ベース３に固定されている。尚、回転軸部３２５は、隣り合う踏板３２５の回転軸部に連結されてもよい。これにより、作業者が踏板３２に乗っていないときは、図１５に示すように、踏板３２の前部と後部とに均等に付勢力が与えられるため、踏板３２は床面と平行な状態で維持され、踏板３２の前部及び後部の上面がレール３１Ａ、３１Ｂの上面と同じ高さになり、移動棚１が横方向（図１５の紙面に対して垂直方向）に移動可能になる。
【００５４】
一方、図１５に示す状態で作業者が作業空間に進入して作業床の踏板３２の前部の上に乗ると、回転軸部３２５を支点にして、作業者の重量によって踏板３２の前部が下方（第２方向）に移動（回転）するとともに、踏板３２の後部が上方（第１方向）に移動（回転）する。これにより、図１６に示すように、踏板３２の前部が、レール３１Ａ、３１Ｂの上面より下方に没するとともに、踏板３２の後部が、レール３１Ａ、３１Ｂの上面より上方に突出する。このように、変形例に係るロック装置の踏板３２は、いわゆるシーソー構造を有している。これにより、図１６に示すように、踏板３２の後部の側面（側部）が、第２ストッパ１１５の第２部分１１５Ｂの側面（側部）に当接可能になるため、当該踏板３２に乗っている作業者の左右に位置する移動棚１がロックされ、移動棚１の作業空間側への移動が抑制される。尚、作業者が踏板３２の後部の上に乗った場合は、踏板３２の後部が下方に移動するとともに、踏板３２の前部が上方に移動することにより、踏板３２の前部の側面（側部）が、第１ストッパ１１２の第２部分１１２Ｂの側面（側部）に当接可能になり、作業者の左右に位置する移動棚１がロックされる。
【００５５】
また、作業者が、踏板３２の幅（横方向の長さ）よりも小さい間口を有する作業空間に進入して踏板３２の前部の上に乗った場合は、踏板３２の後部の上面が、第２ストッパ１１５の第２部分１１５Ｂの下面に当接する。これにより、踏板３２と第２ストッパ１１５との接触面の摩擦力により、移動棚１の左右の移動が抑制される。
【００５６】
尚、上記変形例に係るロック装置は、作業者が踏板３２に乗っていないときに踏板３２が床面と平行な状態で維持される構成であれば、第１バネ３２１Ａ及び第２バネ３２１Ｂの何れかが省略されてもよいし、両方とも省略されてもよい。また、作業者が踏板３２に乗っているときに踏板３２の前部又は後部が台車１１の側部に当接可能になる場合は、第１ストッパ１１２及び第２ストッパ１１５が省略されてもよい。
【００５７】
以上のように、本発明に係るロック装置は、以下の構成を備えていることを特徴とし、上述した各形態及び各形態から当業者が適宜変更した形態も含まれる。すなわち、本発明に係るロック装置は、上方を移動棚１が通過するとともに作業者が乗る踏板３２を備え、作業空間における踏板３２の上面に下方向（第２方向）の力が与えられた場合（第１状態）（例えば、作業者が作業空間における踏板３２に乗った場合）は、例えば当該踏板３２の側部が移動棚１に当接可能になることによって（図１０、図１３、図１６参照）、移動棚１の作業空間への移動が抑制（ロック）される一方、作業空間における踏板３２の上面に下方向の力が与えられなくなった場合（第２状態）（例えば、作業者が作業空間における踏板３２から降りた場合）は、例えば当該踏板３２が移動棚１に当接しなくなることによって（図６、図１５参照）、移動棚１のロックが解除され、移動棚１の作業空間への移動が可能になる（移動棚１が当該踏板３２の上方を移動可能になる）、構成を備えている。これにより、簡易な構成及び操作により移動棚をロックすることができる。
【００５８】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００５９】
１  移動棚、２  固定棚、３  固定ベース、１１  台車、１２  移動棚本体、２１  後部ベース、２２  固定棚本体、３１Ａ，３１Ｂ  レール、３２  踏板、１１１  車輪、１１２  ストッパ、１１２Ａ  （ストッパの）第１部分、１１２Ｂ  （ストッパの）第２部分、３２１  バネ（付勢部）、３２２  規制部、３２３  回転軸部、３２４  間隙。
【図１】
2018196478.tif 000003
【図２】
2018196478.tif 000004
【図３】
2018196478.tif 000005
【図４】
2018196478.tif 000006
【図５】
2018196478.tif 000007
【図６】
2018196478.tif 000008
【図７】
2018196478.tif 000009
【図８】
2018196478.tif 000010
【図９】
2018196478.tif 000011
【図１０】
2018196478.tif 000012
【図１１】
2018196478.tif 000013
【図１２】
2018196478.tif 000014
【図１３】
2018196478.tif 000015
【図１４】
2018196478.tif 000016
【図１５】
2018196478.tif 000017
【図１６】
2018196478.tif 000018